(57)【要約】【課題】ソース基地局によるユーザーエンティティのハンドオーバー方法を提供する。【解決手段】ＵＥがＸ２インターフェースを用いてハンドオーバーが遂行されるか否かを決定するステップと、ターゲットＢＳの限定加入者グループ（ＣＳＧ）情報を含むハンドオーバー要求メッセージをターゲット基地局に伝送するステップと、ターゲット基地局からハンドオーバー要求承認メッセージを受信するステップとを有し、ＵＥがハンドオーバーを遂行するか否かを決定するステップは、ソース基地局とターゲット基地局との間にＸ２インターフェースが存在する場合、ターゲット基地局がＣＳＧをサポートせず、あるいはターゲット基地局がソース基地局によりサポートされる同一のＣＳＧをサポートする場合、Ｘ２インターフェースを用いてＵＥのハンドオーバーを遂行することに決定するステップとを有する。【選択図】図１
2014200105.tif 000002
【特許請求の範囲】
【請求項１】
ホームｅＮＢ（ＨｅＮＢ）との間のＸ２ハンドオーバーを遂行する方法であって、
ＨｅＮＢゲートウェイがソースＨｅＮＢを通じてユーザーエンティティ（ＵＥ）をサービングする移動性管理エンティティ（ＭＭＥ）のＭＭＥ識別子をターゲットＨｅＮＢに送信するステップと、
前記ターゲットＨｅＮＢから前記ＭＭＥ識別子を含むパススイッチ要求メッセージを受信すると、前記ＨｅＮＢゲートウェイが前記ＭＭＥ識別子に対応する前記ＭＭＥに前記パススイッチ要求メッセージをルーティングするステップとを含む
ことを特徴とする方法。
【請求項２】
前記ＭＭＥ識別子を前記ターゲットＨｅＮＢに送信するステップは、
前記ＭＭＥから前記ＭＭＥ識別子を含む初期コンテキスト設定要求メッセージを受信するステップと、
前記初期コンテキスト設定要求メッセージを前記ソースＨｅＮＢに送信するステップとを含む
ことを特徴とする請求項１に記載の方法。
【請求項３】
前記ソースＨｅＮＢが前記ＭＭＥ識別子を含むハンドオーバー要求メッセージを前記ターゲットＨｅＮＢに送信するステップを含む
ことを特徴とする請求項２に記載の方法。
【請求項４】
前記ＵＥが前記ソースＨｅＮＢに接続した場合、前記ソースＨｅＮＢからＳ１接続プロトコルメッセージを受信してＭＭＥに送信するステップを含む
ことを特徴とする請求項１に記載の 方法。
【請求項５】
前記Ｓ１接続プロトコルメッセージは、前記ソースＨｅＮＢ関連情報を含む
ことを特徴とする請求項１に記載の方法。
【請求項６】
ホームｅＮＢ（ＨｅＮＢ）との間のＸ２ハンドオーバーを遂行する装置であって、
ＨｅＮＢゲートウェイがソースＨｅＮＢを通じてユーザーエンティティ（ＵＥ）をサービングする移動性管理エンティティ（ＭＭＥ）のＭＭＥ識別子をターゲットＨｅＮＢに送信する送受信部と、
前記ターゲットＨｅＮＢから前記ＭＭＥ識別子を含むパススイッチ要求メッセージを受信すれば、前記ＨｅＮＢゲートウェイが前記ＭＭＥ識別子に対応する前記ＭＭＥに前記パススイッチ要求メッセージをルーティングするように前記送受信部を制御する制御部とを含む
ことを特徴とする装置。
【請求項７】
前記送受信付が前記ＭＭＥから前記ＭＭＥ識別子を含む初期コンテキスト設定要求メッセージを受信すれば、前記制御部は、前記初期コンテキスト設定要求メッセージを前記ソースＨｅＮＢに送信するように前記送受信部を制御する
ことを特徴とする請求項６に記載の装置。
【請求項８】
前記制御部は、前記ソースＨｅＮＢが前記ＭＭＥ識別子を含むハンドオーバー要求メッセージを前記ターゲットＨｅＮＢに送信するように前記送受信部を制御する
ことを特徴とする装置。
【請求項９】
前記ＵＥが前記ソースＨｅＮＢに接続した場合、前記制御部は前記ソースＨｅＮＢからＳ１接続プロトコルメッセージを受信してＭＭＥに送信するように前記送受信部を制御する
ことを特徴とする装置。
【請求項１０】
前記Ｓ１接続プロトコルメッセージは、前記ソースＨｅＮＢ関連情報を含む
ことを特徴とする請求項６に記載の装置。
【発明の詳細な説明】
【技術分野】
【０００１】
本発明は、移動通信システムにおいてＸ２インターフェースを用いるハンドオーバーを遂行する方法及び装置に関するものである。
【背景技術】
【０００２】
ＬＴＥ（Long Term Evolution）は、第３世代（３Ｇ）移動通信システムの進化した技術であり、セルの容量を増加させてシステム遅延を減少させるような多くの利点を持っている。
【０００３】
図１は、従来の技術によるＬＴＥシステムの構成を概略的に示す。
【０００４】
図１を参照すると、ＬＴＥシステムの進化したユニバーサル地上無線アクセスネットワーク（Evolved Universal Terrestrial Radio Access Network：Ｅ-ＵＴＲＡＮ）は、主に進化したＮｏｄｅ Ｂ（evolved Node B：ｅＮＢ）及びホームｅＮＢ（ＨｅＮＢ）のような無線リソース管理エンティティを含み、ＨｅＮＢゲートウェイ（ＧＷ）をさらに含むことができる。ＨｅＮＢ ＧＥが含まれない場合、ＨｅＮＢは、コアネットワークの移動性管理エンティティ（Mobile Management Entities：ＭＭＥ）に直接接続することができる。ＨｅＮＢ ＧＷが含まれる場合、ＨｅＮＢは、ＨｅＮＢ ＧＷを通じてＭＭＥに接続される。ＭＭＥは、コアネットワークの重要なネットワークエンティティであり、無線アクセスベアラの設定及び移動性管理のような機能を有する。
【０００５】
移動通信システムにおいて、特定グループとして特定ユーザーに対してより良いサービスを提供するために、限定加入者グループ（Closed Subscriber Group：ＣＳＧ）は、一般的に多重無線リソース管理エンティティにより形成されなければならない。例えば、会社又は学校のすべてのユーザーは、特定ユーザーグループを形成する。ＣＳＧは、このユーザーグループとして、特化した接続サービスを提供するために多重無線リソース管理エンティティからなされる。
【０００６】
ＬＴＥの無線リソース管理エンティティは、ｅＮＢ１０１及びＨｅＮＢ１０３０を含む。ＬＴＥの無線リソース管理エンティティは、ＨｅＮＢ ＧＷ１０３をさらに含むことができる。各ｅＮＢ１０１は、Ｘ２インターフェースを通じて相互に接続される。各ｅＮＢ１０１は、Ｓ１インターフェースを通じてコアネットワーク（ＣＮ）でＭＭＥ１０４と直接接続される。ＨｅＮＢ１０２はＳ１インターフェースを通じてＨｅＮＢ ＧＷ１０３に接続でき、ＨｅＮＢ ＧＷ１０３はＳ１インターフェースを通じてＭＭＥ１０４に接続できる。各ＨｅＮＢ１０２は、Ｓ１インターフェースを通じてＭＭＥ１０４と直接接続することができる。システムで設置したＨｅＮＢ ＧＷ１０３が存在しない場合、ＨｅＮＢ１０２はＳ１インターフェースを通じてＭＭＥ１０４に直接接続される。ｅＮＢ１０１及びＨｅＮＢ１０２は、両方ともＣＮで複数のＭＭＥと接続することができる。
【０００７】
より良いアクセスサービスを提供するために、図１に示すＬＴＥシステムの無線リソース管理エンティティは、一般的に多くのタイプを含む。例えば、ＨｅＮＢはオープンＨｅＮＢ、ハイブリッドＨｅＮＢ、及びＣＳＧ ＨｅＮＢに分類される。オープンＨｅＮＢは、任意の特定ユーザーグループに向かわないで任意のユーザーエンティティ（User Entity：ＵＥ）が接続できるＨｅＮＢを意味する。ＣＳＧ ＨｅＮＢは、ＣＳＧユーザーグループ内のＨｅＮＢを意味し、ＣＳＧ ＨｅＮＢによりサービスされる特定グループのＵＥのアクセスのみを許可する。ハイブリッドＨｅＮＢは、ＣＳＧの機能をサポートし、ハイブリッドＨｅＮＢによりサービスされる特定ユーザーグループに属するＵＥのアクセスを許可し、一般的なユーザーグループに属するＵＥのアクセスを許可するＨｅＮＢを意味する。
【０００８】
ＵＥは、ＨｅＮＢとｅＮＢとの間だけでなく相互に異なるＨｅＮＢとの間で移動できる。ＵＥの移動は、Ｓ１ハンドオーバーを通じて実行される。Ｓ１ハンドオーバーは、Ｓ１インターフェースを使用するハンドオーバーを示す。
【０００９】
図２は、従来の技術によるＳ１ハンドオーバー手順を概略的に示す。ＨｅＮＢの各々は、ＨｅＮＢ ＧＷを通じてＭＭＥに接続されると仮定する。
【００１０】
図２を参照すると、ソースＨｅＮＢ２１７は、ステップ２０１ａで、ハンドオーバー要求メッセージをＨｅＮＢ ＧＷ２１９に送信する。ＵＥ２１６からソースＨｅＮＢに測定報告をＨｅＮＢを送信する方法及びソースＨｅＮＢ２１７によってハンドオーバーを開始する方法は、ここに紹介しない。
【００１１】
ステップ２０１ｂにおいて、ＨｅＮＢ ＧＷ２１９は、ハンドオーバー要求メッセージをＭＭＥ２２０に送信する。
【００１２】
ステップ２０２ａにおいて、ＭＭＥ２２０は、ハンドオーバー要求メッセージをＨｅＮＢ ＧＷ２１９に送信し、ステップ２０２ｂにおいて、ＨｅＮＢ ＧＷ２１９は、ハンドオーバー要求メッセージをターゲットＨｅＮＢに送信する。ソースＨｅＮＢ２１７は、ＵＥ２１６が元々位置したＨｅＮＢを示す。ターゲットＨｅＮＢ２１８は、ＵＥがハンドオーバーを遂行するＨｅＮＢを示す。
【００１３】
ステップ２０３において、ターゲットＨｅＮＢ２１８は、ＵＥ２１６のためのリソースを割り当て、ステップ２０３ａにおいて、ハンドオーバー要求承認メッセージをＨｅＮＢ ＧＷ２１９に送信する。ステップ２０３ｂにおいて、ＨｅＮＢ ＧＷ２１９は、ハンドオーバー要求承認メッセージをＭＭＥ２２０に送信する。
【００１４】
ステップ２０５ａにおいて、ＭＭＥ２２０は、ハンドオーバー命令メッセージをＨｅＮＢ ＧＷ２１９に送信する。ステップ２０５ｂにおいて、ＨｅＮＢ ＧＷ２１９は、ハンドオーバー命令メッセージをソースＨｅＮＢ２１７に送信する。
【００１５】
ステップ２０６において、ソースＨｅＮＢ２１７は、無線リソース制御（Radio Resource Control：ＲＲＣ）接続再設定メッセージをＵＥ２１６に送信する。
【００１６】
ステップ２０７において、ＵＥ２１６は、ターゲットセルに同期化し、ステップ２０８では、ＲＲＣ接続再設定完了メッセージをターゲットＨｅＮＢ２１８に送信する。
【００１７】
ステップ２０９ａにおいて、ターゲットＨｅＮＢ２１８は、ハンドオーバー通知メッセージをＨｅＮＢ ＧＷ２１９に送信する。ステップ２０９ｂにおいて、ＨｅＮＢ ＧＷ２１９は、ハンドオーバー通知メッセージをＭＭＥ２２０に送信する。
【００１８】
ステップ２１０において、ＭＭＥ２２０は、変更ベアラ要求メッセージをサービス-ゲートウェイ／パケットデータネットワークゲートウェイ（Service-Gateway／Packet Data Network Gateway：Ｓ-ＧＷ／ＰＤＮ ＧＷ）２２５に送信する。Ｓ-ＧＷは、主にユーザープレーン（user plane）機能の提供に使われる。ＰＤＮ ＧＷは、主に、例えば、チャージ及び合法的遮断（lawful interception）の機能のために使われる。ステップ２１１において、Ｓ-ＧＷ及びＰＤＮ ＧＷは、同一の物理的エンティティ又は分離された２個のエンティティに設定される。このステップでは、Ｓ-ＧＷとＰＤＮ ＧＷとの間のシグナリング相互作用を省略する。
【００１９】
ステップ２１２において、Ｓ-ＧＷ／ＰＤＮ ＧＷ２２５は、変更ベアラ応答メッセージをＭＭＥ２２０に送信する。
【００２０】
ステップ２１３において、ＵＥ２１６は、追跡領域アップデート（Tracking Area Update：ＴＡＵ）手順を始める。
【００２１】
ステップ２１３ａにおいて、ＭＭＥ２２０は、ＵＥコンテキスト解除命令メッセージをＨｅＮＢ ＧＷ２１９に伝送する。２１３ｂにおいて、ＨｅＮＢ ＧＷ２１９は、ＵＥコンテキスト解除命令メッセージをソースＨｅＮＢ２１７に伝送する。
【００２２】
ステップ２１４ａにおいて、ソースＨｅＮＢ２１７は、ＵＥ２１６コンテキスト解除完了メッセージをＨｅＮＢ ＧＷ２１９に伝送する。ステップ２１４ｂにおいて、ＨｅＮＢ ＧＷ２１９は、ＵＥ２１６コンテキスト解除完了メッセージをＭＭＥ２２０に送信する。
【００２３】
この手順は、多くの数のＨｅＮＢ及び頻繁なＵＥハンドオーバーを考慮するハンドオーバー過程を実現できるが、各ハンドオーバーがＳ１ハンドオーバーを通じて実現されると、コアネットワークの負担がひどく大きくなり、ハンドオーバーの効率は減少する。同様に、上記問題点は、ＵＥがＨｅＮＢとｅＮＢとの間、及びｅＮＢとｅＮＢとの間で移動する場合に存在する。
【００２４】
上記のような従来技術において、ＨｅＮＢとｅＮＢとの間のＵＥの移動は、Ｓ１ハンドオーバーを通じて実行される。上記分析から、Ｓ１ハンドオーバーを通じてＨｅＮＢ間のＵＥの移動は、ハンドオーバー準備及びデータ転送を含むＣＮを介して達成される。ＨｅＮＢ間のＵＥの各移動がＳ１ハンドオーバーを通じて達成されると、大変多くの数のＨｅＮＢのため、ＣＮに大きな負荷が掛かるようになる。このハンドオーバーの効率は低減される可能性がある。
【００２５】
しかしながら、従来のＸ２ハンドオーバープロセスにおけるハンドオーバー準備及びデータ転送は、ＭＭＥを通じて遂行する必要はない。したがって、Ｘ２ハンドオーバープロセスは、ＨｅＮＢ間のＵＥの移動に適用できる。
【００２６】
図３Ａから図３Ｃは、従来技術により、Ｘ２ハンドオーバーをＨｅＮＢに適用することを示す概略的接続図である。図３Ａは、Ｘ２ハンドオーバーを通じてＨｅＮＢ３０５ａと３０５ｂとの間のＵＥの移動３００を示す概略的接続図である。図３Ｂは、Ｘ２ハンドオーバーを通じてＨｅＮＢ３１５からｅＮＢ３２０までのＵＥの移動３１０を示す概略的接続図である。図３Ｃは、Ｘ２ハンドオーバーを通じてｅＮＢ３３０からＨｅＮＢ３３５までＵＥの移動３２５を示す概略的接続図である。
【００２７】
図３Ａから図３Ｃを参照すると、ＨｅＮＢ ＧＷが非アクセス層（Non-Access-Stratum：ＮＡＳ）ノード選択機能（Node Selection Function：ＮＮＳＦ）を有するため、ＨｅＮＢがＨｅＮＢ ＧＷを通じてＭＭＥにアクセスする場合、ＨｅＮＢ ＧＷは、ＨｅＮＢにアクセスされているＵＥのためのサービングＭＭＥを選択する。しかしながら、ＨｅＮＢは、ＵＥに対してＨｅＮＢ ＧＷにより選択されたＭＭＥを認知しない。したがって、Ｘ２ハンドオーバーが実行される場合、ソースＨｅＮＢは、ターゲットＨｅＮＢにＵＥのサービングＭＭＥについて通知できない。その結果、ターゲットＨｅＮＢ、又はｅＮＢ、あるいはターゲットＨｅＮＢ ＧＷは、経路切り替え要求メッセージが送信されなければならないＭＭＥに対して認知できない。この経路切り替え要求メッセージがＵＥにより最初にアクセスされたＭＭＥの代わりに他のＭＭＥに送信された場合、ハンドオーバープロセスが失敗するという問題点を有する。
【００２８】
上記のような従来技術において、ＨｅＮＢとｅＮＢとの間のＵＥの移動は、Ｓ１ハンドオーバーを通じて実行される。上記分析から、Ｓ１ハンドオーバーを通じてＨｅＮＢ間のＵＥの移動は、ハンドオーバー準備及びデータ転送を含むＣＮを介して達成される。ＨｅＮＢ間のＵＥの各移動がＳ１ハンドオーバーを通じて達成されると、大変多くの数のＨｅＮＢのため、ＣＮに大きな負荷が掛かるようになる。このハンドオーバーの効率は低減される可能性がある。
【００２９】
しかしながら、従来のＸ２ハンドオーバープロセスにおけるハンドオーバー準備及びデータ転送は、ＭＭＥを通じて遂行する必要はない。したがって、Ｘ２ハンドオーバープロセスは、ＨｅＮＢ間のＵＥの移動に適用できる。
【先行技術文献】
【特許文献】
【００３０】
【特許文献１】特願２００９−２３７７８０号
【特許文献２】特願２００９−２７６８８１号
【発明の概要】
【発明が解決しようとする課題】
【００３１】
したがって、本発明は上記した従来技術の問題点に鑑みてなされるものであって、その目的は、移動通信システムにおけるＸ２インターフェースを使用するハンドオーバー方法を提供することにある。
【００３２】
本発明の他の目的は、Ｘ２ハンドオーバーの間、ターゲットｅＮＢ／ＨｅＮＢ又はターゲットＨｅＮＢ ＧＷに提供されるＸ２を遂行するためのＵＥによりアクセスされるＭＭＥ識別子を提供することにある。
【課題を解決するための手段】
【００３３】
上記のような目的を達成するために、本発明の一態様によれば、ソース基地局（ＢＳ）によるユーザーエンティティ（ＵＥ）のハンドオーバー方法が提供される。その方法は、ＵＥがＸ２インターフェースを用いてハンドオーバーが遂行されるか否かを決定するステップと、ターゲットＢＳの限定加入者グループ（ＣＳＧ）情報を含むハンドオーバー要求メッセージをターゲット基地局に伝送するステップと、ターゲット基地局からハンドオーバー要求承認メッセージを受信するステップとを有し、ＵＥがハンドオーバーを遂行するか否かを決定するステップは、ソース基地局とターゲット基地局との間にＸ２インターフェースが存在する場合、ターゲット基地局がＣＳＧをサポートせず、あるいはターゲット基地局がソース基地局によりサポートされる同一のＣＳＧをサポートする場合、Ｘ２インターフェースを用いてＵＥのハンドオーバーを遂行することに決定するステップと、Ｘ２インターフェース設定手順を通じてターゲット基地局のＣＳＧ情報を獲得するステップとを有する。
【００３４】
本発明の他の態様によれば、ターゲット基地局によるユーザーエンティティ（ＵＥ）のハンドオーバー方法が提供される。その方法は、ソース基地局からターゲット基地局の限定加入者グループ（ＣＳＧ）情報を含むハンドオーバー要求メッセージを受信するステップと、ＣＳＧ情報が第１のＣＳＧ識別子（ＩＤ）を含む場合、第１のＣＳＧ識別子と第２のＣＳＧ識別子が同一であるか否かを判定し、ターゲットセルからブロードキャストされるＣＳＧ情報から第２のＣＳＧ識別子を獲得するステップと、第１のＣＳＧ識別子と第２のＣＳＧ識別子が同一である場合、ソース基地局にハンドオーバー要求承認メッセージを送信し、ＵＥから無線リソース制御（ＲＲＣ）再設定メッセージを受信するステップと、移動性管理エンティティ（ＭＭＥ）に第２のＣＳＧ識別子を含む経路切り替え要求メッセージを送信するステップと、経路切り替え要求承認メッセージがＭＭＥから受信される場合、ソース基地局にアップリンク（ＵＬ）コンテキスト解除メッセージを送信するステップとを有する。
【００３５】
本発明の他の態様によれば、移動性管理エンティティ（ＭＭＥ）によるユーザーエンティティ（ＵＥ）のハンドオーバー方法が提供される。その方法は、ターゲット基地局（ＢＳ）からターゲット基地局の限定加入者グループ（ＣＳＧ）情報を含む経路切り替え要求メッセージを受信するステップと、ＣＳＧ情報がターゲット基地局が特定ＣＳＧをサポートするＣＳＧ基地局であることを示す場合、ユーザーＣＳＧ情報を含むベアラアップデート要求メッセージをユーザープレーンエンティティに伝送するステップと、ターゲット基地局に経路切り替え要求承認メッセージを送信するステップとを有し、ターゲット基地局のＣＳＧ情報又はターゲットセルからブロードキャストされるＣＳＧ情報は、ターゲット基地局が特定ＣＳＧをサポートするＣＳＧ基地局であり、あるいは特定ＣＳＧ及び特定ＣＳＧに含まれないＵＥをサポートするハイブリッド基地局であることを示すアクセスモードを含み、ターゲット基地局がＣＳＧ基地局又はハイブリッド基地局である場合、ＣＳＧ情報は特定ＣＳＧのＣＳＧ識別子を含み、ターゲット基地局がソース基地局によりサポートされる同一のＣＳＧをサポートする場合、ＣＳＧ情報は、ターゲット基地局が同一のＣＳＧをサポートすることを示す識別子を含む。
【００３６】
本発明の他の態様によれば、ユーザーエンティティ（ＵＥ）のハンドオーバーのためのソース基地局が提供される。上記基地局は、Ｘ２インターフェースを用いるＵＥがハンドオーバーを遂行するか否かを決定する制御部と、ターゲット基地局の限定加入者グループ（ＣＳＧ）情報を含むハンドオーバー要求メッセージをターゲット基地局に送信する送信部と、ターゲット基地局からハンドオーバー要求承認メッセージを受信する受信部とを含み、制御部は、ソース基地局とターゲット基地局との間にＸ２インターフェースが存在する場合、及びターゲット基地局がＣＳＧをサポートせず、あるいはターゲット基地局がソース基地局によりサポートされる同一のＣＳＧをサポートする場合、Ｘ２インターフェースを用いてＵＥのハンドオーバーを遂行することに決定し、ターゲット基地局のＣＳＧ情報をＸ２インターフェース設定手順を通じて獲得する。
【００３７】
本発明の他の態様によれば、ユーザーエンティティ（ＵＥ）のハンドオーバーのためのターゲット基地局が提供される。上記基地局は、ソース基地局からターゲット基地局の限定加入者グループ（ＣＳＧ）情報を含むハンドオーバー要求メッセージを受信する受信部と、ＣＳＧ情報が第１のＣＳＧ識別子を含む場合、第１のＣＳＧ識別子と第２のＣＳＧ識別子が同一であるか否かを決定し、ターゲットセルからブロードキャストされるＣＳＧ情報から第２のＣＳＧ識別子を獲得する制御部とを含み、第１のＣＳＧ識別子と第２のＣＳＧ識別子が同一である場合、送信部はソース基地局にハンドオーバー要求承認メッセージを送信し、受信部はＵＥから無線リソース制御再設定メッセージを受信し、送信部は、移動性管理エンティティ（ＭＭＥ）に第２のＣＳＧ識別子を含む経路切り替え要求メッセージを送信し、経路切り替え要求承認メッセージがＭＭＥから受信部により受信される場合、送信部は、制御部の制御によりソース基地局にアップリンクコンテキスト解除メッセージを送信する。
【００３８】
本発明の他の態様によれば、ユーザーエンティティ（ＵＥ）のハンドオーバーのための移動性管理エンティティ（ＭＭＥ）方法が提供される。その方法は、ターゲット基地局からターゲット基地局の限定加入者グループ（ＣＳＧ）情報を含む経路切り替え要求メッセージを受信するステップと、ＣＳＧ情報がターゲット基地局が特定ＣＳＧをサポートするＣＳＧ基地局であることを示す場合、ユーザーＣＳＧ情報を含むベアラアップデート要求メッセージをユーザープレーンエンティティに送信するステップと、ベアラアップデート応答メッセージが受信される場合、ターゲット基地局に経路切り替え要求承認メッセージを送信するステップとを有し、ターゲット基地局のＣＳＧ情報又はターゲットセルからブロードキャストされるＣＳＧ情報は、ターゲット基地局が特定ＣＳＧをサポートするＣＳＧ 基地局であり、あるいは特定ＣＳＧ及び特定ＣＳＧに含まれないＵＥをサポートするハイブリッド基地局であることを示すアクセスモードを含み、ターゲット基地局がＣＳＧ基地局又はハイブリッド基地局である場合、ＣＳＧ情報は特定ＣＳＧのＣＳＧ識別子を含み、ターゲット基地局がソース基地局によりサポートされる同一のＣＳＧをサポートする場合、ＣＳＧ情報は、ターゲット基地局が同一のＣＳＧをサポートすることを示す識別子を含む。
【００３９】
本発明の他の目的、利点、及び顕著な特徴は、添付の図面及び本発明の実施形態からなされた以下の詳細な説明から、この分野の当業者に明確になるはずである。
【発明の効果】
【００４０】
本発明の技術的方式を適用することは、予め定められた状態を満たす場合、例えば、ＵＥが同一のＣＳＧ内で移動したり、オープンセルに移動したり、あるいはハイブリッドセルに移動する場合、Ｘ２ハンドオーバーが採用される。Ｓ１ハンドオーバーと比較すると、Ｘ２ハンドオーバー手順は、ＭＭＥとのシグナリング相互作用を遂行するためにより少ないステップが必要である。したがって、コアネットワークの処理負担が減少し、ハンドオーバー効率が向上する効果を有する。
【００４１】
本発明による実施形態の上記及び他の態様、特徴、及び利点は、添付の図面と共に述べる以下の詳細な説明から、一層明らかになるはずである。
【図面の簡単な説明】
【００４２】
【図１】従来技術によるＬＴＥシステムの構成を概略的に示す図である。
【図２】従来技術による一般名的なＳ１ハンドオーバーを概略的に示す図である。
【図３Ａ】従来技術により、ＨｅＮＢにＸ２ハンドオーバーを適用する場合の接続構造の各種類を概略的に示す図である。
【図３Ｂ】従来技術により、ＨｅＮＢにＸ２ハンドオーバーを適用する場合の接続構造の各種類を概略的に示す図である。
【図３Ｃ】従来技術により、ＨｅＮＢにＸ２ハンドオーバーを適用する場合の接続構造の各種類を概略的に示す図である。
【図４】本発明の実施形態により、ＨｅＮＢを通じてＸ２ハンドオーバーを遂行する場合の接続構成を概略的に示す図である。
【図５Ａ】本発明の第１の実施形態によるＸ２ハンドオーバー方法を示すフローチャート図である。
【図５Ｂ】本発明の第１の実施形態によるＸ２インターフェース設定手順を示すフローチャートである。
【図６】本発明の第２の実施形態による他のＸ２ハンドオーバー方法を示すフローチャートである。
【図７】本発明の実施形態による図４のネットワークを使用するＨｅＮＢを通じてＵＥによってネットワークをアクセスする動作フローを示す図である。
【図８】本発明の第３の実施形態によるＨｅＮＢとともに獲得されるＸ２ハンドオーバーの動作フローを示す図である。
【図９】本発明の実施形態によるＨｅＮＢ／ｅＮＢ又は基地局の構成を示すブロック構成図である。
【図１０】本発明の実施形態によるＭＭＥの構成を示すブロック構成図である。
【発明を実施するための形態】
【００４３】
以下、本発明の望ましい実施形態を添付の図面を参照して詳細に説明する。
【００４４】
図面において、同一又は類似した構成要素に対してはできるだけ同様の参照符号及び参照番号を使用する。次の説明において、具体的な構成及び構成要素のような特定詳細は、ただ本発明の実施形態の全般的な理解を助けるためだけに提供される。したがって、本発明の範囲及び趣旨を逸脱することなく、以下に説明される本発明の様々な変形及び変更が可能であることは、当該技術分野における通常の知識を持つ者には明らかである。なお、公知の機能または構成に関する具体的な説明は、明瞭性と簡潔性のために省略する。
【００４５】
以下の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００４６】
英文明細書に記載の“ａ”、“ａｎ”、及び“ｔｈｅ”、すなわち単数形は、コンテキスト中に特記で明示されない限り、複数形を含むことは、当業者にはわかることである。したがって、例えば、“コンポーネント表面（a component surface）”との記載は一つ又は複数の表面を含む。
【００４７】
本発明の実施形態は、移動通信システムにおけるコアネットワークの処理負荷を減少させるためのＸ２インターフェースを使用するハンドオーバー方式を提供する。同一のＣＳＧでＵＥが移動したり、又はＵＥがオープンセル（ＨｅＮＢ又はｅＮＢによりカバーされるセル）に移動したり、あるいはハイブリッドセルに移動したりする場合、Ｘ２ハンドオーバーが採用される。ＭＭＥと相互作用するためにより少ないステップがＸ２ハンドオーバー処理で必要であるため、コアネットワークの処理負担が減少し、ハンドオーバー効率は、本発明の第１及び第２の実施形態により改善される。いくつかの状況下で、例えば、ＵＥが一つのＣＳＧから他のＣＳＧに移動する場合、Ｓ１ハンドオーバーは継続採用される。
【００４８】
本発明の第３の実施形態によると、ＵＥがＨｅＮＢを通じてネットワークに接続される場合、ＭＭＥ又はＨｅＮＢ ＧＷは、ＨｅＮＢにＵＥのＭＭＥのＭＭＥ識別子を送信する。Ｘ２ハンドオーバーを遂行する場合、ＨｅＮＢは、ＵＥにサービスを提供するＭＭＥに経路切り替え要求メッセージを成功的に送信するようにターゲットｅＮＢ／ＨｅＮＢをイネーブルするために、ＵＥがハンドオーバーすべきターゲットｅＮＢ／ＨｅＮＢにＭＭＥ識別子を送信する。ターゲットＨｅＮＢがＨｅＮＢ ＧＷを通じてＭＭＥにアクセスされる場合、ターゲットＨｅＮＢは、ＵＥにサービスを提供するＭＭＥに経路切り替え要求メッセージを成功的に送信するために宛先（destination）ＨｅＮＢ ＧＷをイネーブルするために、そして成功的なＸ２ハンドオーバーが遂行される場合にＳ１ハンドオーバー手順でコアネットワークとの頻繁な相互作用を減少させるために、宛先ＨｅＮＢ ＧＷにＭＭＥ識別子を送信する。したがって、ＣＮ上のハンドオーバープロセスの影響は減少し、ハンドオーバー遅延は減少する。
【００４９】
本発明の実施形態の方式は、図４に示すネットワーク構成に基づいて実行される。
【００５０】
図４は、本発明の実施形態によるＨｅＮＢを通してＸ２ハンドオーバーを遂行する場合に接続構成を概略的に示す。
【００５１】
図４を参照すると、ＨｅＮＢ４００ａとＨｅＮＢ４００ｂ及びｅＮＢ４１０は、Ｓ１インターフェースを通じてコアネットワークでＭＭＥ４１５と接続され、Ｓ１プロトコルスタック（stack）を採用する。ＨｅＮＢ４００ａ及び４００ｂは、各々Ｓ１インターフェースを通じてＨｅＮＢ ＧＷ４０５ａ及び４０５ｂと接続され、Ｓ１プロトコルスタックを採用する。各ＨｅＮＢ４０５ａ及び４０５ｂは、他のＨｅＮＢと接続され、各ＨｅＮＢ４０５ａ及び４０５ｂは、Ｘ２インターフェースを通じてｅＮＢ４１０と接続され、Ｘ２プロトコルスタックを採用する。運営者の配列に基づいて、ＨｅＮＢ ＧＷ４０５ａ及び４０５ｂは、存在するか、あるいは存在しないこともある。ＨｅＮＢ ＧＷが存在しない場合には、ＨｅＮＢは、Ｓ１インターフェースを通じてＭＭＥ４１５に直接接続される。
【００５２】
本発明の第１の実施形態では、Ｘ２ハンドオーバーが要求される次の状況に適用され得る。この状況は、ＵＥがＨｅＮＢ間で移動する場合、ＵＥがＨｅＮＢとｅＮＢとの間で移動する場合、及びＵＥがｅＮＢ間で移動する場合を含む。Ｘ２ハンドオーバーは、これら状況で遂行される。加えて、本発明の実施形態の方法では、ＵＥが第３世代（３Ｇ）ネットワークで異なる基地局（ＢＳ）、ＨｅＮＢ、ｅＮＢ、及びＨｅＮＢ間の間を移動する方法にも適用することができる。
【００５３】
図５Ａは、本発明の第１の実施形態によるＸ２ハンドオーバー方法を示すフローチャートである。図５Ａに示すように、下記のステップが含まれる。ＵＥは、異なるＢＳ（ソースＢＳとターゲットＢＳ）間で移動するが、本発明の実施形態における方法は、ＵＥがＸ２インターフェースに接続された装置間で移動する場合にも適用できる。この装置は、ＨｅＮＢとｅＮＢを含む。
【００５４】
図５Ａを参照すると、ソースＢＳ５０２は、ステップ５０７で、ハンドオーバーを決定する。ステップ５０８において、ソースＢＳ５０２は、Ｘ２ハンドオーバー手順が適用されることを決定する。例えば、ソースＢＳ５０２は、ターゲットＢＳ５０３との間にＸ２インターフェースが存在するか否かを判断する。その結果、Ｘ２インターフェースが存在しない場合、従来技術のＳ１ハンドオーバーフローが実行される。そうでないと、ソースＢＳ５０２は、ターゲットセルがオープンセルであるか否かを判定し、あるいはソースセル及びターゲットセルが同一のＣＳＧに属するか否かをさらに判定する。ターゲットセルがオープンセルであるか、あるいはソースセル及びターゲットセルが同一のＣＳＧに属する場合、Ｘ２ハンドオーバーが遂行される。すなわち、ステップ５０９が遂行される。
【００５５】
Ｓ１ハンドオーバーフローは、上記したようである。また、ソースセル及びターゲットセルは、ソースセル及びターゲットセルが両方ともＣＳＧセルであることを示す同一のＣＳＧに位置し、同一のＣＳＧ識別子を有する。
【００５６】
ソースＢＳ５０２は、ＨｅＮＢ又はｅＮＢであり得る。また、ターゲットＢＳ５０３は、ＨｅＮＢ又はｅＮＢであり得る。異なるネットワーク設定によって、ソースＢＳ５０２とターゲットＢＳ５０３との間にＸ２インターフェースが存在するか、あるいは存在しないこともある。
【００５７】
なお、ステップ５０８において、ソースＢＳ５０２は、Ｘ２設定手順を通じて、運営者の設定に従って、及び／又は他のやり方を通じて、ＵＥ５０１からターゲットセルのＣＳＧ識別子（ＩＤ）及びアクセスモードを獲得できる。アクセスモードは、ターゲットセルのタイプ、例えばハイブリッドセル又はＣＳＧセルを示す。ＣＳＧ識別子が存在しない場合、ターゲットセルは、オープンセルとして見なされ、あるいはターゲットセルはオープンセルとして明確に示されることができる。ソースセル及びターゲットセルが同一のＣＳＧに属するか否かは、ターゲットセルのＣＳＧ識別子により決定され得る。
【００５８】
ＵＥ５０１からターゲットセルのＣＳＧ識別子及びアクセスモードを獲得するための方法は、自動隣接関係（Automatic Neighbor Relation：ＡＮＲ）又はハンドオーバーの目的のために送信された測定報告からＣＳＧ識別子及びアクセスモードを獲得するステップを含む。その特定実行は公知の技術であり、任意の特定実行が採用される。さらに、ネットワークに最初にアクセスする場合、ＢＳと部分的他のＢＳは、Ｘ２インターフェース設定手順を実行できる。Ｘ２インターフェース設定手順を実行するＢＳは、運営者の設定により決定される。ソースＢＳ５０２は、このような方法でターゲットセルのアクセスモード及びＣＳＧ識別子を獲得できる。
【００５９】
図５Ｂは、本発明の第１の実施形態によるＸ２インターフェース設定手順を概略的に示す。
【００６０】
図５Ｂを参照すると、ＢＳ１ ５０００は、Ｘ２設定要求メッセージをＢＳ２ ５００５に送信する。Ｘ２設定要求メッセージは、ＢＳ１ ５０００に属するサービングセルの情報を含む。この情報は、サービングセルの各々に対するＣＳＧ識別子及び物理的セル識別子（Physical Cell Identifier：ＰＣＩ）を含み、該当セルがハイブリッドセルであるか、あるいはＣＳＧセルであるかを示す各サービングセルのアクセスモードをさらに含むことができる。サービングセル各々のアクセスモードがハイブリッドセルである場合、Ｘ２設定要求メッセージは、セルがハイブリッドセルであることを示すアクセスモードを含む。セルがＣＳＧセルである場合、Ｘ２設定要求メッセージは、アクセスモードを含まない。この方法は、アクセスモードがＣＳＧタイプであることを暗黙的に示すために使用される。アクセスモードがＸ２設定要求メッセージに含まれないが、セルのＰＣＩの範囲に従って決定される。
【００６１】
ステップ５０１２において、ＢＳ２は、Ｘ２設定応答メッセージをＢＳ１に送信する。Ｘ２設定応答メッセージは、ＢＳ２ ５００５に属するターゲットセルの情報を含む。この情報は、ターゲットセルの各々に対するＣＳＧ識別子及びＰＣＩを含み、上記セルがハイブリッドセルであるか、あるいはＣＳＧセルであるかを示すために、ターゲットセル各々のアクセスモードをさらに含む。セルがハイブリッドセルである場合、Ｘ２設定応答メッセージは、ターゲットセル各々がハイブリッドセルであることを示すためのアクセスモードを含む。ターゲットセルのうちいずれか一つがＣＳＧセルである場合、Ｘ２設定応答メッセージは、アクセスモードを含まない。この方法は、アクセスモードがＣＳＧタイプであることを暗黙的に示すために使われる。アクセスモードがＸ２設定応答メッセージに含まれない場合、アクセスモードは、セルのＰＣＩの範囲により決定される。
【００６２】
図５Ｂに示すＢＳ１ ５０００は、ｅＮＢ又はＨｅＮＢであり得る。同様に、ソースＢＳ ５００５は、ｅＮＢ又はＨｅＮＢであり得る。図５Ｂに示すように、ソースＢＳ５０２は、ＣＳＧ ＩＤ及びターゲットセルのアクセスモードを獲得し、ＵＥ５０１に対するＸ２ハンドオーバーを決定してステップ５０９に進行する。
【００６３】
ステップ５０９において、ソースＢＳ５０２は、ハンドオーバー要求メッセージをターゲットＢＳ５０３に送信する。ターゲットＢＳ５０３によりサービスされるターゲットセルがＣＳＧセルである場合、ターゲットセルのＣＳＧ識別子は、ハンドオーバー要求メッセージで搬送され得る。さらに、ターゲットセルのＣＳＧ識別子が図５Ｂに示すようなＸ２インターフェース設定手順を通じて獲得される場合、ターゲットセルのＣＳＧ識別子は搬送されないこともある。このモードを通じて獲得されたターゲットセルのＣＳＧ識別子が正確なものであると見なされるため、ステップ５１０に示すような確認（verification）を遂行する必要はない。
【００６４】
ステップ５１０において、ターゲットＢＳ５０３は、ターゲットセルのハンドオーバー要求メッセージに含まれたＣＳＧ識別子を確認する。ターゲットＢＳ５０３は、ハンドオーバー要求メッセージに含まれたターゲットセルのＣＳＧ識別子が正確であるか否かを確認する。ターゲットＢＳ５０３は、ハンドオーバー要求メッセージに含まれたターゲットセルのＣＳＧ識別子をターゲットセルによりブロードキャストされるＣＳＧ識別子と比較して、２個のＣＳＧ識別子が同一であるか否かを判定する。その結果、２個のＣＳＧ識別子が同一でない場合、Ｘ２ハンドオーバーは拒絶され、ターゲットセルによりブロードキャストされたＣＳＧ識別子、すなわちターゲットセルの正確なＣＳＧ識別子がハンドオーバー準備失敗メッセージに含まれてソースＢＳ５０２に送信される。そうでない場合には、ステップ４０５が遂行される。
【００６５】
ステップ５１０は、選択的である。ステップ５０９でソースＢＳ５０２からターゲットＢＳ５０３に送信されたハンドオーバー要求メッセージがターゲットセルのＣＳＧ識別子を含まない場合、ステップ５１０は実行される必要がない。
【００６６】
ステップ５１１において、ターゲットＢＳ５０３は、ハンドオーバー要求応答メッセージをソースＢＳ５０２に送信する。
【００６７】
ステップ５１２において、ソースＢＳ５０２は、ＲＲＣ（Radio Resource Control）接続再設定メッセージをＵＥ５０１に送信する。
【００６８】
ステップ５１３において、ＵＥ５０１は、ＲＲＣ接続再設定完了メッセージをターゲットＢＳ５３０に送信する。
【００６９】
ステップ５１４ａにおいて、ターゲットＢＳ５０３は、経路切り替え要求メッセージをゲートウェイに送信する。ターゲットセルがＣＳＧセルである場合、ターゲットセルのＣＳＧ識別子は、経路切り替え要求メッセージで搬送される。ターゲットセルがＣＳＧセルである場合、ターゲットセルは、ステップ５０９からステップ５１４ａによってこのハンドオーバーがＸ２ハンドオーバーを採用することを決定し、ターゲットセルは、Ｘ２ハンドオーバーの原理、すなわちどのような環境でＸ２ハンドオーバーが採用されるかを知るようになる。したがって、ターゲットセルは、ソースセル及びターゲットセルが両方ともＣＳＧセルであり、かつ同一のＣＳＧ識別子を有すると判断できる。したがって、経路切り替え要求メッセージは、ソースセル及びターゲットセルが同一のＣＳＧ識別子を有することを示す、同一のＣＳＧ識別子インジケーションを含む。このような状況で、ターゲットセルのＣＳＧ識別子は転送されないことがある。なお、ソースセル及びターゲットセルがＨｅＮＢである場合、ゲートウェイは、ＨｅＮＢ ＧＷである。
【００７０】
ステップ５１４ｂにおいて、ゲートウェイ５０４は、経路切り替え要求メッセージをＭＭＥ５０５に送信する。このステップで経路切り替え要求メッセージの内容は、ステップ５１４ａでの経路切り替え要求メッセージの内容と同一である。ゲートウェイ５０４が設定されない場合、ステップ５１４ａ及び５１４ｂは、ターゲットＢＳ５０３が経路切り替え要求メッセージをＭＭＥ５０５に送信する、一つのステップに統合され得る。
【００７１】
ステップ５１５ａにおいて、ＭＭＥ５０５は、ベアラアップデート要求メッセージをユーザープレーン（user plane）エンティティ、すなわちＳ-ＧＷ／ＰＤＮ ＧＷ（Service-Gateway／Packet Data Network Gateway）５０６に送信する。ここでは、Ｓ-ＧＷとＰＤＮ ＧＷとの間のシグナリング相互作用は省略する。
【００７２】
受信された経路切り替え要求メッセージに従って、ＭＭＥ５０５は、ＵＥ５０１が移動するターゲットセルがＣＳＧセルであるか、オープンセルであるかを判定する。例えば、経路切り替え要求メッセージがターゲットセルのＣＳＧ識別子を含む場合、ＵＥ５０１のターゲットセルはＣＳＧセルであると判断することができる。ターゲットセルのＣＳＧ識別子が搬送されない場合、ターゲットセルはオープンセルであると判断できる。受信された経路切り替え要求メッセージが同一のＣＳＧ識別子インジケーションを含む場合、ターゲットセル及びソースセルは同一のＣＳＧに位置すると判断できる。加えて、ＭＭＥ５０５は、ソースセルのＣＳＧ識別子及びアクセスモードを認知する。したがって、ＭＭＥ５０５は、ターゲットセルのＣＳＧ識別子及びアクセスモードを認知できる。ＰＤＮ ＧＷがＵＥのユーザーＣＳＧ情報（ＵＥコンテキストにより決定）を要求する場合、ＭＭＥ５０５からＳ-ＧＷ／ＰＤＮ ＧＷ５０６に送信されたベアラアップデート要求メッセージは、ユーザーＣＳＧ情報を含む。
【００７３】
ユーザーＣＳＧ情報は、ターゲットセルのＣＳＧ識別子、ターゲットセルのアクセスモード、及びターゲットセルのＣＳＧメンバーシップインジケーション（ＭＭＥ自身が判断できる）を含む。ＣＳＧメンバーシップインジケーションは、ＵＥがターゲットセルによりサポートされるＣＳＧに加入されることを示す。それによって、ＰＤＮ ＧＷは、該当モードに従ってＵＥ５０１をチャージ（charge）する。その上、ＰＤＮ ＧＷがＵＥ５０１の位置情報を要求する場合、ＭＭＥ５０５からＳ-ＧＷ／ＰＤＮ ＧＷ５０６に送信された変更ベアラ要求メッセージは、ＵＥ５０１の位置情報、例えば、Ｅ-ＵＴＲＡＮ（Evolved-Universal Terrestrial Radio Access Network）セルグローバル識別子（ＥＣＧＩ）及び／又はトラッキング領域アイデンティティ（Tracking Area Identity：ＴＡＩ）をさらに含む。ＰＤＮ ＧＷがＭＭＥ５０５にＵＥの位置情報及び／又はユーザーＣＳＧ情報を報告する方法は、よく知られているので、ここでは、その詳細な説明を省略する。
【００７４】
ステップ５１５ｂにおいて、Ｓ-ＧＷ／ＰＤＮ ＧＷは、ベアラアップデート応答メッセージをＭＭＥ５０５に送信する。
【００７５】
ステップ５１６ａにおいて、ＭＭＥ５０５は、経路切り替え要求承認メッセージをゲートウェイ５０４に送信する。
【００７６】
ステップ５１６ｂにおいて、ゲートウェイ５０４は、経路切り替え要求承認メッセージをターゲットＢＳ５０３に送信する。ゲートウェイ５０４が設定されない場合には、ステップ５１６ａ及び５１６ｂは、ＭＭＥ５０５が経路切り替え要求承認メッセージをターゲットＢＳ５０３に送信する一つのステップに統合され得る。
【００７７】
ステップ５１７において、ターゲットＢＳ５３０は、ＵＥコンテキスト解除メッセージをソースＢＳ５０２に送信する。
【００７８】
図６は、本発明の第２の実施形態によるハンドオーバー方法を示すフローチャートである。
【００７９】
図６を参照すると、ソースＢＳ６０２は、ステップ６０７でハンドオーバーを決定する。ステップ６０８において、ソースＢＳ６０２は、Ｘ２ハンドオーバーが採用されると決定する。例えば、ソースＢＳ６０２は、ターゲットＢＳ６０３との間にＸ２インターフェースが存在するか否かを判定する。その結果、Ｘ２インターフェースが存在する場合、Ｓ１ハンドオーバープロセスが実行される。そうでない場合には、ソースＢＳ６０２は、ターゲットセルがハイブリッドセルであるか否かをさらに判定する。その結果、ターゲットセルがハイブリッドセルであると、Ｘ２ハンドオーバーが遂行される。すなわち、ステップ６０９が遂行される。そうでないと、Ｘ２ハンドオーバーは、ターゲットセルがハイブリッドセルであり、ソースセルとターゲットセルが同一のＣＳＧ識別子を有する場合に採用できる。Ｓ１ハンドオーバーは、これらが相互に異なるＣＳＧ識別子を有する場合に採用される。ソースＢＳ６０２は、ＨｅＮＢ又はｅＮＢであり得る。また、ターゲットＢＳ６０３は、ＨｅＮＢ又はｅＮＢであり得る。
【００８０】
さらに、ステップ６０８において、ソースＢＳ６０２は、Ｘ２インターフェース設定手順を通じて、運営者の設定によってＵＥ６０１からターゲットセルのＣＳＧ識別子及びアクセスモードを獲得できる。ＣＳＧ識別子及びアクセスモードを獲得するための方法は、ステップ４０２での記述と同一であるので、ここで再び説明する必要はない。
【００８１】
ステップ６０９において、ソースＢＳ６０２は、ハンドオーバー要求メッセージをターゲットＢＳに送信する。ハンドオーバー要求メッセージは、ターゲットセルのＣＳＧ識別子を含み、ＵＥ６０１がターゲットセルに加入したメンバーであるか否かを示すメンバーインジケーションをさらに含む。
【００８２】
ターゲットセルのＣＳＧ識別子がＸ２インターフェース設定手順を通じて得られる場合、ターゲットセルのＣＳＧ識別子は、ハンドオーバー要求メッセージに含まれない可能性がある。なお、ハンドオーバー要求メッセージは、任意の状況でのみ、すなわちソースセルとターゲットセルが両方ともハイブリッドセルであり、同一のＣＳＧ識別子を有する場合にのみ、メンバーインジケーションを含むことができる。
【００８３】
ステップ６１０において、ターゲットＢＳ６０３は、ターゲットセルから受信されたＣＳＧ識別子を確認する。ターゲットＢＳ６０３は、ハンドオーバー要求メッセージに含まれたターゲットセルのＣＳＧ識別子が正確であるか否かを確認する。ターゲットＢＳ６０３は、ハンドオーバー要求メッセージに含まれたターゲットセルのＣＳＧ識別子を、ターゲットセルによりブロードキャストされるＣＳＧ識別子と比較して、２個のＣＳＧ識別子が同一であるか否かを判定する。その結果、２個のＣＳＧ識別子が同一でない場合、ターゲットセルがハイブリッドセルであるが、このハンドオーバーが承認され、すなわちステップ６１１が実行される。このような環境下で、実現モードとして、ＵＥ６０１は、まず非加入メンバーとして処理され得る。これらが同一のＣＳＧ識別子である場合、ステップ６１１が遂行される。
【００８４】
ハンドオーバー要求メッセージがターゲットセルのＣＳＧ識別子を含まない場合には、確認を遂行する必要がない。また、ソースセル及びターゲットセルが相互に異なるハイブリッドセルであるが、相互に異なるＣＳＧ識別子を有する場合、ターゲットセルは、ソースＢＳから送信されたハンドオーバー要求メッセージを受信した後、ＵＥ６０１を非加入メンバーとしてまず処理できる。加入メンバー及び非加入メンバーに対して、ターゲットＢＳ６０３は、相互に異なるサービス品質（ＱｏＳ）のサービスを提供できる。
【００８５】
ステップ６１１において、ターゲットＢＳ６０３は、ハンドオーバー要求承認メッセージをソースＢＳ６０２に送信する。
【００８６】
ステップ６１０での確認が失敗する場合、ターゲットセルによりブロードキャストされるＣＳＧ識別子、すなわち正確なターゲットセルのＣＳＧ識別子は、ハンドオーバー要求承認メッセージで搬送され得る。ソースＢＳ６０２からターゲットＢＳ６０３により受信されたターゲットセルのＣＳＧ識別子が、ターゲットセルによりブロードキャストされるＣＳＧ識別子と一致しないとしても、このハンドオーバーは受諾される。したがって、ターゲットＢＳ６０３は、ターゲットセルの正確なＣＳＧ識別子をソースＢＳ６０２に送信する。
【００８７】
ステップ６１２において、ソースＢＳ６０２は、ＲＲＣ接続再設定メッセージをＵＥ６０１に送信する。
【００８８】
ステップ６１３において、ＵＥ６０１は、ＲＲＣ接続再設定完了メッセージをターゲットＢＳ６０３に送信する。
【００８９】
ステップ６１４ａにおいて、ターゲットＢＳ６０３は、経路切り替え要求メッセージをゲートウェイ６０４に送信する。経路切り替え要求メッセージは、ターゲットセルのＣＳＧ識別子、及びターゲットセルがハイブリッドセルであるかあるいはＣＳＧセルであるかを示すためのターゲットセルのアクセスモードを含む。アクセスモードがＣＳＧタイプである場合、経路切り替え要求メッセージは、アクセスモードを含まないが、ＣＳＧ識別子のみを含む。このような方法は、ターゲットセルがＣＳＧセルであることを暗黙的に表すために採用される。このターゲットセルは、ハイブリッドタイプであり得る。
【００９０】
また、ソースＢＳ６０２から送信されたメンバーインジケーションを受信すると、ターゲットセルは、自分のＣＳＧ識別子がソースセルのＣＳＧ識別子と同一であると判断できる。これに対応して、ターゲットＢＳ６０３は、経路切り替え要求メッセージに同一のＣＳＧ識別子インジケーション又はメンバーインジケーションを含むことができる。この場合、ＣＳＧ識別子及びアクセスモードは、経路切り替え要求メッセージに含まれるか、あるいは含まれないこともある。
【００９１】
ステップ６１４ｂにおいて、ゲートウェイは、経路切り替え要求メッセージをＭＭＥに送信する。経路切り替え要求メッセージの内容は、ステップ６１４ａでの経路切り替え要求メッセージの内容と同一である。ゲートウェイが設定されない場合、ステップ６１４ａ及び６１４ｂは、ターゲットＢＳ６０３が経路切り替え要求メッセージをＭＭＥに送信する一つのステップに統合できる。
【００９２】
ステップ６１５において、ＭＭＥ６０５は、ＵＥ６０１がターゲットセルの加入メンバーであるか、あるいは非加入メンバーであるかを判定する。ステップ６１５において、ＭＭＥ６０５は、ターゲットセルがハイブリッドセルである場合のみに、ＵＥ６０１が加入メンバーであるか、あるいは非加入メンバーであるかを判定する。この判定は、任意の適切な技術を用いて構成することができる。
【００９３】
ステップ６１６において、ＭＭＥ６０５は、ベアラアップデート要求メッセージをＳ-ＧＷ／ＰＤＮ ＧＷ６０６に送信する。ここで、Ｓ-ＧＷとＰＤＮ ＧＷとの間のシグナリング相互作用は省略する。
【００９４】
受信された経路切り替え要求メッセージにより搬送されるターゲットセルのＣＳＧ識別子及びアクセスモードによって、ＭＭＥ６０５は、ターゲットセルのＣＳＧ識別子及びアクセスモードを知るようになる。さらに、経路切り替え要求メッセージがＣＳＧ識別子及びアクセスモードを含まないが、同一のＣＳＧ識別子インジケーションを含む場合、ＭＭＥ６０５は、ソースセルのＣＳＧ識別子及びアクセスモードを知っているため、ターゲットセルのＣＳＧ識別子及びアクセスモードを知るようになる。経路切り替え要求メッセージがＣＳＧ識別子を含まないが、メンバーインジケーションを含む場合、ＭＭＥ６０５は、このような状況でソースセルとターゲットセルが同一のＣＳＧ識別子を有することを認め、ターゲットセルのＣＳＧ識別子及びアクセスモードも認知することができる。また、ＭＭＥ６０５は、ステップ６１５で、ＵＥ６０１がターゲットセルの加入メンバーであるか、あるいは非加入メンバーであるかを判断する。したがって、ＰＤＮ ＧＷがＵＥ６０１のコンテキストから決定されたユーザーＣＳＧ情報を要求する場合、ＭＭＥは、Ｓ-ＧＷ／ＰＤＮ ＧＷ６０６に送信するベアラアップデート要求メッセージにユーザーＣＳＧ情報を含む。
【００９５】
ユーザーＣＳＧ情報は、ターゲットセルのＣＳＧ識別子、アクセスモード（すなわち、ハイブリッドセル）、及びターゲットセルのＣＳＧメンバーシップインジケーションを含み、それによって、ＰＤＮ ＧＷは、該当モードに従ってＵＥを課金できる。また、ＰＤＮ ＧＷがＵＥの位置情報を要求する場合、ＭＭＥ６０５からＳ-ＧＷ／ＰＤＮ ＧＷ６０６に送信するベアラアップデート要求メッセージは、ユーザーの位置情報、例えば、ＥＣＧＩ及び／又はＴＡＩをさらに含む。ＰＤＮ ＧＷがＭＭＥ６０５にＵＥ６０１の位置情報及び／又はユーザーＣＳＧ情報を報告する方法は、任意の適切な技術により実行され得る。
【００９６】
ステップ６１６ｂにおいて、Ｓ-ＧＷ／ＰＤＮ ＧＷは、ベアラアップデート応答メッセージをＭＭＥ６０５に送信する。
【００９７】
ステップ６１７ａにおいて、ＭＭＥ６０１は、経路切り替え要求承認メッセージをゲートウェイ６０４に送信する。経路切り替え要求承認メッセージは、ＵＥ６０１がターゲットセルの加入メンバーであるか、あるいは非加入メンバーであるかを示すメンバーインジケーションを含むことができる。さらに、ステップ６０９でＭＭＥ６０５により受信された経路切り替え要求メッセージがメンバーインジケーションを含み、ＵＥ６０１がステップ６１５でＭＭＥにより判断された加入メンバーであるか否かに対する結果が、受信されたメンバーインジケーションと同一である場合、このステップでの経路切り替え要求承認メッセージは、上記メンバーインジケーションを含まない。そうでない場合、経路切り替え要求承認メッセージは、メンバーインジケーションを含む。
【００９８】
ＭＭＥ６０５は、メンバーインジケーションをＵＥコンテキスト変更要請メッセージのようなＳ１メッセージを通じてターゲットＢＳ６０３に通知できる。したがって、メンバーインジケーションは、このステップの経路切り替え要求承認メッセージに搬送する必要がない。
【００９９】
ステップ６１７ｂにおいて、ゲートウェイ６０４は、経路切り替え要求承認メッセージをターゲットＢＳ６０３に送信する。メンバーインジケーションは、経路切り替え要求承認メッセージで搬送され得る。ゲートウェイが設定されない場合、ステップ６１７ａ及び６１７ｂは、ＭＭＥ６０５が経路切り替え要求承認メッセージをターゲットＢＳ６０３に送信する一つのステップに統合できる。
【０１００】
ステップ６１８において、ターゲットＢＳ６０３は、ＵＥコンテキスト解除メッセージをソースＢＳ６０２に送信する。
【０１０１】
以下、図７及び図８を参照して、本発明の第３の実施形態によるＸ２ハンドオーバーについて説明する。
【０１０２】
図７は、図４に示した接続構成を使用する場合、ＨｅＮＢを通じてＵＥによりネットワークにアクセスされる動作フローを示す。本発明の実施形態の範囲を外れたステップに関する詳細な説明は、省略する。
【０１０３】
ステップ７０６ａにおいて、ＵＥ７０１は、ＮＡＳ（Non-Access Stratum）メッセージ、例えば、アタッチ（attach）メッセージ、サービス要求メッセージをソースＨｅＮＢ７０２に送信する。ステップ７０６ｂ及び７０６ｃにおいて、ソースＨｅＮＢ７０２は、ＵＥ７０１から受信されたＮＡＳメッセージをＳ１アクセスプロトコル（ＡＰ）メッセージを通じてＨｅＮＢ ＧＷ７０４に送信し、ＨｅＮＢ ＧＷ７０４は、Ｓ１ ＡＰメッセージをＭＭＥ７０５に送信する。ＵＥ７０１によりアクセスが要求されたソースＨｅＮＢ７０２がＣＳＧ-ＨｅＮＢ又はハイブリッド-ＨｅＮＢである場合、Ｓ１ ＡＰメッセージは、ソースＨｅＮＢセル７０４のＣＳＧ識別子をさらに含む。ステップ７０７において、ＮＡＳメッセージを受信した後に、ＭＭＥ７０５は、ＵＥ７０１に対してＮＡＳ認証／セキュリティプロセスを遂行する。
【０１０４】
ＮＡＳ認証／セキュリティプロセスの遂行は、任意の適切な実行方法を使用して実行される。ネットワークにＵＥ７０１に対するＵＥコンテキストがない場合、ステップ７０６ａ及び７０６ｂでアタッチ要求のためのインテグリティ プロテクション（integrity protection）がない場合、又はインテグリティ認証が失敗した場合、インテグリティは、認証及びＮＡＳセキュリティと一緒に活性化され、ＮＡＳ暗号化が遂行される。そうでない場合には、上記プロセスは選択的である。ＮＡＳセキュリティアルゴリズムが変更される場合、ＮＡＳセキュリティが設定される。
【０１０５】
ＭＭＥ７０５が新たに現れたアタッチを有する未認証国際移動通信加入者識別番号（International Mobile Subscriber Identification：ＩＭＳＩ）をサポートし、ＵＥ５０１により指示されたアタッチタイプが新たに現れる場合、ＭＭＥ７０５は、認証及びセキュリティ設定プロセスを省略する、あるいは失敗した認証が受け入れる場合にアタッチプロセスを継続遂行する。
【０１０６】
ステップ７０８ａ及び７０８ｂにおいて、ＭＭＥ７０５は、初期コンテキスト設定要求メッセージをＨｅＮＢ ＧＷ７０４に送信し、ＨｅＮＢ ＧＷ７０４は、初期コンテキスト設定要求メッセージをソースＨｅＮＢ７０２に送信する。初期コンテキスト設定要求メッセージは、ＵＥ７０１にサービスを提供するＭＭＥ７０５のＭＭＥ識別子を含む。ＭＭＥ識別子は、ＭＭＥ７０５によりＨｅＮＢ ＧＷ７０４に送信された初期コンテキスト設定要求メッセージに含まれ、ＨｅＮＢ ＧＷ７０４によりソースＨｅＮＢ７０２に送信された初期コンテキスト設定要求メッセージに含まれ得る。あるいは、ＭＭＥ７０５の識別子は、ＨｅＮＢ ＧＷ７０４によりソースＨｅＮＢ７０２に送信された初期コンテキスト設定要求メッセージのみに含まれ得る。任意の実施方法が採用できる。
【０１０７】
ステップ７０９において、初期コンテキスト設定要求メッセージを受信した後に、ソースＨｅＮＢ７０２は、ＵＥ７０１と無線ベアラを設定する。
【０１０８】
ステップ７１０ａ及び７１０ｂにおいて、ＵＥ７０１と無線ベアラを設定した後、ソースＨｅＮＢ７０２は、初期コンテキスト設定応答メッセージをＨｅＮＢ ＧＷ７０４に送信する。ＨｅＮＢ ＧＷ７０４は、初期コンテキスト設定応答メッセージをＭＭＥ７０５に送信する。
【０１０９】
これまで、本発明の第３の実施形態によるＵＥ７０１がＨｅＮＢを通じてネットワークにアクセスする全体動作フロー流れが完了する。
【０１１０】
本発明の実施形態によって、ＵＥ７０１とソースＨｅＮＢ７０２との間で無線ベアラが設定された後、Ｘ２ハンドオーバーは、ＨｅＮＢを通じて遂行される。本発明の実施形態について、図８を参照して詳細に説明する。
【０１１１】
図８は、本発明の第３の実施形態により、ＨｅＮＢと一緒に獲得されるＸ２ハンドオーバーの動作フローを示す。図８に示すように、本発明の実施形態の範囲を外れたステップに関する具体的説明は省略する。
【０１１２】
ステップ８０７において、ソースＨｅＮＢ８０２は、ハンドオーバーを決定する。
【０１１３】
ステップ８０８ａにおいて、ソースＨｅＮＢ８０２は、ハンドオーバー要求メッセージをターゲットＨｅＮＢ８０３に送信する。このハンドオーバー要求メッセージは、ＵＥ８０１にサービスを提供するＭＭＥ８０５のＭＭＥ識別子を含む。
【０１１４】
ステップ８０８ｂにおいて、ターゲットＨｅＮＢ８０３は、ハンドオーバー要求承認メッセージをソースＨｅＮＢ８０２に送信する。
【０１１５】
ステップ８０９ａにおいて、ソースＨｅＮＢ８０２は、ＵＥ８０１にＸ２ハンドオーバーを要求するためのＲＲＣ接続再設定メッセージを送信する。
【０１１６】
ステップ８０９ｂにおいて、ハンドオーバー後に、ＵＥ８０１は、ＲＲＣ接続再設定完了メッセージをターゲットＨｅＮＢ８０３に送信する。
【０１１７】
ステップ８１０ａにおいて、ターゲットＨｅＮＢ８０３は、経路切り替え要求メッセージをＨｅＮＢ ＧＷ８０４に送信し、ＨｅＮＢ ＧＷ８０４は、経路切り替え要求メッセージをＭＭＥ８０５に送信する。この経路切り替え要求メッセージは、ＵＥ８０１にサービスを提供するＭＭＥ８０５のＭＭＥ識別子を含む。
【０１１８】
経路切り替え要求メッセージは、ターゲットＨｅＮＢ８０３のＣＳＧ識別子をさらに含むことができる。また、経路切り替え要求メッセージは、ターゲットＨｅＮＢ８０３のアクセスモード、例えばハイブリッドをさらに含むことができる。アクセスモードの値は、ＣＳＧタイプをさらに含むことができ、あるいはＣＳＧ識別子の存在は、アクセスモードがない場合、ターゲットＨｅＮＢ８０３のＣＳＧタイプを暗黙的に示すように使われることができる。ターゲットＨｅＮＢ８０３がＨｅＮＢ ＧＷ８０４によらずにＭＭＥ８０５に接続する場合、経路切り替え要求メッセージは、ターゲットＨｅＮＢ８０３によりＭＭＥ８０５に直接送信する。
【０１１９】
ステップ８１１ａにおいて、ＭＭＥ８０５は、ベアラアップデート要求メッセージをＳ-ＧＷ／ＰＤＮ ＧＷ８０６に送信する。ＭＭＥ８０５は、受信された経路切り替え要求メッセージで転送された宛先セルに関するＣＳＧ識別子及びアクセスモード情報に従って、宛先セルのＣＳＧ識別子及びアクセスモードを認知できる。宛先セルがハイブリッドである場合、ＭＭＥ８０５は、ＵＥ８０１が宛先セルのＣＳＧ識別子によって宛先セルの加入メンバーであるか、あるいは非加入メンバーであるかを判定する。したがって、ＰＤＮ ＧＷがＵＥ（ＵＥコンテキストにより認知できる）に関するユーザーＣＳＧ情報を要求する場合、ＭＭＥは、Ｓ-ＧＷ／ＰＤＮ ＧＷ８０６に送信された、ベアラアップデート要求メッセージにユーザーＣＳＧ情報を含めることができる。ユーザーＣＳＧ情報は、該当モードによってＹＥ８０１に対してＰＤＮ ＧＷにより遂行される今後のチャージを容易にするために、ＵＥ８０１が宛先セルの加入メンバーであるか、あるいは非加入メンバーであるかだけでなく、宛先セルのＣＳＧ識別子及びアクセスモードを含む。ＰＤＮ ＧＷによりＭＭＥ８０５にユーザーＣＳＧ情報を報告する方法は、任意の従来技術を使用して実行される。
【０１２０】
ステップ８１１ｂにおいて、Ｓ-ＧＷ／ＰＤＮ ＧＷ８０６は、ＵＥ８０１のベアラの変更後、変更ベアラ応答メッセージをＭＭＥ８０５に送信する。
【０１２１】
ステップ８１２ａ及び８１２ｂにおいて、ＭＭＥ８０５は、経路切り替え要求承認メッセージをＨｅＮＢ ＧＷ８０５に送信し、ＨｅＮＢ ＧＷ８０５は、経路切り替え要求承認メッセージをターゲットＨｅＮＢ８０３に送信する。ターゲットＨｅＮＢ８０３がＨｅＮＢ ＧＷ８０４を通じることなく、ＭＭＥ８０５にアクセスする場合、経路切り替え要求承認メッセージは、ＭＭＥ８０５によりターゲットＨｅＮＢ８０２に直接送信する。
【０１２２】
ステップ８１３において、経路切り替え要求承認メッセージを受信した後、ターゲットＨｅＮＢ８０３は、ＵＥコンテキスト解除メッセージをソースＨｅＮＢ８０２に送信する。
【０１２３】
これまで、本発明の実施形態によって、ＨｅＮＢを通じてＸ２ハンドオーバーを遂行する全体動作フローが完了する。
【０１２４】
図７及び図８に示す実施形態は、ＨｅＮＢの間で遂行されるＸ２ハンドオーバーのみについて説明する。実際の適用において、上記したハンドオーバープロセスは、ＨｅＮＢ ＧＷを通じてＣＮにアクセスされるｅＮＢとＨｅＮＢとの間のＸ２ハンドオーバープロセスにも適用可能である。具体的なプロセスは上記のようであり、ここでは再度説明をしない。
【０１２５】
本発明の第３の実施形態により採用されるＨｅＮＢを通じるＸ２ハンドオーバーを遂行する方法において、ＵＥがＨｅＮＢを通じてネットワークにアクセスされる場合、ＭＭＥ又はＨｅＮＢ ＧＷは、ＵＥにサービスを提供するＭＭＥの識別子をターゲットＨｅＮＢに送信する。Ｘ２ハンドオーバーを遂行する場合、ＨｅＮＢは、ＵＥにサービスを提供するＭＭＥに経路切り替え要求メッセージを成功的に送信するようにターゲットｅＮＢ／ＨｅＮＢをイネーブルするために、ＵＥがハンドオーバーすべきターゲットｅＮＢ／ＨｅＮＢにＭＭＥ識別子を送信する。ターゲットＨｅＮＢがＨｅＮＢ ＧＷを通じてＭＭＥにアクセスされる場合、ターゲットＨｅＮＢは、ＵＥにサービスを提供するＭＭＥに経路切り替え要求メッセージを成功的に送信するために宛先ＨｅＮＢ ＧＷをイネーブルするために、そして成功的なＸ２ハンドオーバーが遂行される場合にＳ１ハンドオーバー手順でＣＮとの頻繁な相互作用を減少させるために、宛先ＨｅＮＢ ＧＷにＭＭＥ識別子を送信する。したがって、ＣＮ上のハンドオーバープロセスの影響は減少し、ハンドオーバー遅延は減少する。
【０１２６】
上記した本発明の実施形態は、本発明に限定されるものではない。本発明の精神及び原理内で任意の変更、同等な代替、及び改善は、本発明の範囲によりカバーされなければならない。
【０１２７】
図９は、本発明の実施形態によるＢＳ又はＨｅＮＢ／ｅＮＢを示すブロック構成図である。
【０１２８】
図９を参照すると、ＨｅＮＢ／ｅＮＢ及びＢＳは、各々ソースＨｅＮＢ／ｅＮＢ及びＢＳ又はターゲットＨｅＮＢ／ｅＮＢ又はＢＳとして動作し、ＨｅＮＢ／ｅＮＢ９００は、受信部９０２、制御部９０４、及び送信部９０６を含む。制御部９０４は、Ｘ２インターフェースを用いるＵＥのハンドオーバーを決定する。
【０１２９】
例えば、ＨｅＮＢ／ｅＮＢ９００が本発明の第１及び第２の実施形態によるソースＨｅＮＢ／ｅＮＢ又はＢＳとして動作する場合、制御部９０４は、Ｘ２インターフェースを用いるＵＥのハンドオーバーを決定する。ソースＢＳとターゲットＢＳとの間にＸ２インターフェースがある場合、及びターゲットＢＳがＣＳＧをサポートせず、又はターゲットＢＳがソースＢＳによりサポートされる同一のＣＳＧをサポートする場合、制御器９０４は、Ｘ２インターフェースを使用するＵＥのハンドオーバーを遂行するように決定し、Ｘ２インターフェース設定手順を通じてターゲットＢＳのＣＳＧ情報を獲得する。
【０１３０】
送信部９０６は、ターゲットＢＳのＣＳＧ情報を含むハンドオーバー要求メッセージをターゲットＢＳに送信する。受信器９０２は、ターゲットＢＳからハンドオーバー要求承認メッセージを受信する。ＣＳＧ情報は、ターゲットＢＳが特定ＣＳＧをサポートするＣＳＧ ＢＳであり、あるいは特定ＣＳＧ及びＣＳＧに含まれないＵＥをサポートするハイブリッドＢＳを示すアクセスモードを含む。ターゲットＢＳがＣＳＧ ＢＳ又はハイブリッドＢＳである場合、ＣＳＧ情報は、特定ＣＳＧのＣＳＧ識別子を含む。ターゲットＢＳがソースＢＳによりサポートされる同一のＣＳＧをサポートする場合、ＣＳＧ情報は、ターゲットＢＳが同一のＣＳＧをサポートすることを示す識別子を含む。ターゲットＢＳがハイブリッドＢＳである場合、メンバーシップ識別子は、ＵＥがハイブリッドＢＳがサポートされるＣＳＧに加入したか否かを示す。
【０１３１】
Ｘ２インターフェース設定手順において、送信部９０６は、ＣＳＧ（ＩＤ）及びターゲットＢＳにソースＢＳの各サービングセルに対するＰＣＩを含むＸ２設定要求メッセージを伝送する。受信部９０２は、ＣＳＧ ＩＤ及びターゲットＢＳの各サービングセルに対するＰＣＩを含むターゲットＢＳからＸ２設定応答メッセージを受信する。
【０１３２】
本発明の第３の実施形態により、ＭＭＥのＭＭＥ識別子がＭＭＥ又はＢＳゲートウェイからＵＥにサービスを提供する場合、送信器９０６は、制御器９０４の制御によりターゲットＢＳにＭＭＥ識別子をさらに含むハンドオーバー要求メッセージを伝送する。
【０１３３】
例えば、ＨｅＮＢ／ｅＮＢ又はＢＳ９００が、本発明の第１及び第２の実施形態によるターゲットソースＨｅＮＢ／ｅＮＢ又はＢＳとして動作する場合、受信器９０２は、ソースＢＳからターゲットＢＳのＣＳＧ情報を含むハンドオーバー要求メッセージを受信する。
【０１３４】
ＣＳＧ情報が第１のＣＳＧ識別子を含む場合、制御部９０４は、第１のＣＳＧ識別子と第２のＣＳＧ識別子が同一であるか否かを判定し、ターゲットセルからブロードキャストされるＣＳＧ情報から第２のＣＳＧ ＩＤを獲得する。第１のＣＳＧ識別子と第２のＣＳＧ識別子が同一である場合、送信部９０６は、ソースＢＳにハンドオーバー要求承認メッセージを伝送する。送信部９０６は、ＭＭＥに第２のＣＳＧ識別子を含む経路切り替え要求メッセージを伝送する。経路切り替え要求承認メッセージがＭＭＥから受信部９０２により受信される場合、送信部９０６は、ソースＢＳにアップリンクＵＬコンテキスト解除メッセージを伝送する。
【０１３５】
ＨｅＮＢ／ｅＮＢ又はＢＳ９００が本発明の第３の実施形態によるターゲットソースＨｅＮＢ／ｅＮＢ又はＢＳとして動作する場合、制御部９０４がハンドオーバー要求メッセージからＵＥにサービスを提供するＭＭＥのＭＭＥ識別子を獲得する場合、送信部９０６は、制御部の制御によってＭＭＥ ＩＤに対応するＭＭＥにＭＭＥ ＩＤを含む経路切り替え要求メッセージを伝送する。
【０１３６】
図１０は、本発明の実施形態によるＭＭＥを示すブロック構成図である。
【０１３７】
図１０を参照すると、ＭＭＥ１０００は、受信部１００２、制御部１００４、及び送信部１００６を含む。受信部１００２は、ターゲットＢＳからＣＳＧ情報を含む経路切り替え要求メッセージを受信する。ＣＳＧ情報が特定ＣＳＧをサポートするＣＳＧ ＢＳであることを指示する場合、送信部１００６は、ユーザーＣＳＧ情報を含むベアラアップデート要求メッセージをユーザープレーンエンティティを伝送する。受信部１００２がベアラアップデート応答メッセージを受信する場合、送信部１００６は、制御部１００４の制御によりターゲットＢＳに経路切り替え要求承認メッセージを伝送する。ターゲットＢＳのＣＳＧ情報又はターゲットセルからブロードキャストされるＣＳＧ情報は、ターゲットＢＳが特定ＣＳＧをサポートするＣＳＧ ＢＳ又は特定ＣＳＧ及び特定ＣＳＧに含まれないＵＥをサポートするハイブリッドＢＳであることを示すアクセスモードを含む。ターゲットＢＳがＣＳＧ ＢＳ又はハイブリッドＢＳである場合、ＣＳＧ情報は、特定ＣＳＧのＣＳＧ識別子を含む。ターゲットＢＳがソースＢＳによりサポートされる同一のＣＳＧをサポートする場合、ＣＳＧ情報は、ターゲットＢＳが同一のＣＳＧをサポートすることを示す識別子を含む。
【０１３８】
本発明の実施形態によると、コアネットワークの処理負担が減少でき、ハンドオーバー効率性が改善することができる。
【０１３９】
上記した本発明の実施形態の説明が単に実例を提供するためのものであって、本発明の目的を限定するものでないことは、本発明の技術分野における通常の知識を持つ者には明らかである。
【０１４０】
以上、本発明の詳細な説明においては具体的な実施形態に関して説明したが、特許請求の範囲の記載及びこれと均等なものに基づいて定められる本発明の範囲及び趣旨を逸脱することなく、形式や細部の様々な変更が可能であることは、当該技術分野における通常の知識を持つ者には明らかである。
【符号の説明】
【０１４１】
５０１ ＵＥ
５０２ ソースＢＳ
５０３ ターゲットＢＳ
５０４ ゲートウェイ
５０５ ＭＭＥ
５０６ Ｓ−ＧＷ／ＰＤＮＧＷ
【図１】
2014200105.tif 000003
【図２】
2014200105.tif 000004
【図３Ａ】
2014200105.tif 000005
【図３Ｂ】
2014200105.tif 000006
【図３Ｃ】
2014200105.tif 000007
【図４】
2014200105.tif 000008
【図５Ａ】
2014200105.tif 000009
【図５Ｂ】
2014200105.tif 000010
【図６】
2014200105.tif 000011
【図７】
2014200105.tif 000012
【図８】
2014200105.tif 000013
【図９】
2014200105.tif 000014
【図１０】
2014200105.tif 000015